(57)【要約】  本発明のユーザ端末は、上り制御チャネルを用いて上り制御情報（ＵＣＩ）を送信する送信部と、前記上り制御チャネル用の一以上のリソースをそれぞれ含む一以上のリソースセットが設定される場合、前記ＵＣＩのビット数に基づいて選択されたリソースセットから、下り制御情報（ＤＣＩ）内の所定フィールド値と黙示的指示情報に基づいて、前記ＵＣＩの送信に用いられるリソースを決定する制御部と、を具備する。
2019142340.tif 000002
【特許請求の範囲】
【請求項１】
上り制御チャネルを用いて上り制御情報（ＵＣＩ）を送信する送信部と、
前記上り制御チャネル用の一以上のリソースをそれぞれ含む一以上のリソースセットが設定される場合、前記ＵＣＩのビット数に基づいて選択されたリソースセットから、下り制御情報（ＤＣＩ）内の所定フィールド値と黙示的指示情報に基づいて、前記ＵＣＩの送信に用いられるリソースを決定する制御部と、
を具備することを特徴とするユーザ端末。
【請求項２】
前記所定フィールド値は、２ビットの値であり、
前記制御部は、前記選択されたリソースセットが４より多いリソースを含む場合、前記所定フィールド値及び前記黙示的指示情報に基づいて、前記選択されたリソースセットから前記リソースを決定することを特徴とする請求項１に記載のユーザ端末。
【請求項３】
前記制御部は、１スロット及び１セルに対応する下り共有チャネルに対する送達確認情報を含む前記ＵＣＩが送信される場合、前記下り共有チャネルをスケジューリングするＤＣＩ内の所定フィールド値及び前記黙示的指示情報に基づいて、前記選択されたリソースセットから前記リソースを決定することを特徴とする請求項１又は請求項２に記載のユーザ端末。
【請求項４】
前記制御部は、複数のスロット及び／又は複数のセルに対応する複数の下り共有チャネルに対する送達確認情報を含む前記ＵＣＩを送信する場合、所定スロット及び所定セルで送信されるＤＣＩ内の所定フィールド値及び前記黙示的指示情報に基づいて、前記選択されたリソースセットから前記リソースを決定することを特徴とする請求項１又は請求項２に記載のユーザ端末。
【請求項５】
前記制御部は、前記黙示的指示情報を、前記下り制御情報の送信に用いられる下り制御チャネルがマッピングされる制御リソース単位の最小インデックスと、前記下り制御チャネルに関連付けられる制御リソースセットのインデックスと、前記下り制御チャネルに関連付けられるサーチスペースのインデックスと、前記下り制御チャネルに関連付けられる送信構成識別子の状態と、下り共有チャネルに対する送達確認情報のビット数、セカンダリセルにおけるスケジューリングに用いられる下り制御情報内の所定フィールド値、復調用参照信号の構成情報、前記ＵＣＩのビット数、前記送達確認情報用のコードブックのタイプとの少なくとも一つに基づいて導出することを特徴とする請求項１から請求項４のいずれかに記載のユーザ端末。
【請求項６】
上り制御チャネルを用いて上り制御情報（ＵＣＩ）を送信する工程と、
前記上り制御チャネル用の一以上のリソースをそれぞれ含む一以上のリソースセットが設定される場合、前記ＵＣＩのビット数に基づいて選択されたリソースセットから、下り制御情報（ＤＣＩ）内の所定フィールド値と黙示的指示情報に基づいて、前記ＵＣＩの送信に用いられるリソースを決定する工程と、
を有することを特徴とするユーザ端末における無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。当該上り制御チャネルの構成（フォーマット）は、ＰＵＣＣＨフォーマット等と呼ばれる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＬＴＥ  Ｒｅｌ．１５以降、５Ｇ、５Ｇ＋、ＮＲなど）では、上り制御チャネル（例えば、ＰＵＣＣＨ）を用いてＵＣＩを送信する場合、上位レイヤシグナリング及び下り制御情報（ＤＣＩ）内の所定フィールド値に基づいて、当該上り制御チャネル用のリソース（例えば、ＰＵＣＣＨリソース）を決定することが検討されている。【０００７】
具体的には、将来の無線通信システムでは、一以上のＰＵＣＣＨリソースをそれぞれ含む一以上のセット（ＰＵＣＣＨリソースセット）が上位レイヤシグナリングによりユーザ端末に通知（設定）される場合、当該ユーザ端末は、ＵＣＩのペイロードサイズ（ビット数）に基づいて選択されたＰＵＣＣＨリソースセットから、ＤＣＩ内の所定フィールド値に基づいて、ＵＣＩの送信に用いるＰＵＣＣＨリソースを決定することが想定される。【０００８】
しかしながら、ＵＣＩのペイロードサイズに基づいて選択されるＰＵＣＣＨリソースセットが、ＤＣＩの所定フィールドで指定可能な数よりも多い数（例えば、ＤＣＩの所定フィールドが２ビットの場合、Ｍ＞４）のＰＵＣＣＨリソースを含む場合、ユーザ端末がＵＣＩの送信に用いるＰＵＣＣＨリソースを適切に決定できない恐れがある。【０００９】
本発明はかかる点に鑑みてなされたものであり、ＵＣＩの送信に用いるＰＵＣＣＨリソースを適切に決定可能なユーザ端末及び無線通信方法を提供することを目的の一つとする。
【課題を解決するための手段】
【００１０】
本発明のユーザ端末の一態様は、上り制御チャネルを用いて上り制御情報（ＵＣＩ）を送信する送信部と、前記上り制御チャネル用の一以上のリソースをそれぞれ含む一以上のリソースセットが設定される場合、前記ＵＣＩのビット数に基づいて選択されたリソースセットから、下り制御情報（ＤＣＩ）内の所定フィールド値と黙示的指示情報に基づいて、前記ＵＣＩの送信に用いられるリソースを決定する制御部と、を具備することを特徴とする。
【発明の効果】
【００１１】
本発明によれば、ＵＣＩの送信に用いるＰＵＣＣＨリソースを適切に決定できる。
【図面の簡単な説明】
【００１２】
【図１】図１は、ＰＵＣＣＨリソースの割り当ての一例を示す図である。
【図２】図２Ａ及び２Ｂは、ＤＣＩ内の所定フィールド値の一例を示す図である。
【図３】図３Ａ及び３Ｂは、第１の態様に係る黙示的指示情報の第２の導出例の一例を示す図である。
【図４】図４は、第１の態様に係る黙示的指示情報の第２の導出例の他の例を示す図である。
【図５】図５Ａ及び５Ｂは、第１の態様に係る黙示的指示情報の第３の導出例の一例を示す図である。
【図６】図６は、第１の態様に係る黙示的指示情報の第３の導出例の他の例を示す図である。
【図７】図７Ａ及び７Ｂは、第１の態様に係る黙示的指示情報の第４の導出例の一例を示す図である。
【図８】図８は、第１の態様に係る黙示的指示情報の第４の導出例の他の例を示す図である。
【図９】図９Ａ及び９Ｂは、第３の態様に係る第１及び第２のＤＣＩの一例を示す図である。
【図１０】図１０は、第３の態様に係る第１及び第２のＤＣＩの他の例を示す図である。
【図１１】図１１Ａ及び１１Ｂは、第３の態様に係るＰＵＣＣＨリソースの第１の決定例を示す図である。
【図１２】図１２Ａ及び１２Ｂは、第３の態様に係るＰＵＣＣＨリソースの第２の決定例を示す図である。
【図１３】図１３Ａ及び１３Ｂは、第３の態様に係るＰＵＣＣＨリソースの第３の決定例を示す図である。
【図１４】図１４Ａ及び１４Ｂは、第３の態様に係るＰＵＣＣＨリソースの第４の決定例を示す図である。
【図１５】本実施の形態に係る無線通信システムの概略構成の一例を示す図である。
【図１６】本実施の形態に係る無線基地局の全体構成の一例を示す図である。
【図１７】本実施の形態に係る無線基地局の機能構成の一例を示す図である。
【図１８】本実施の形態に係るユーザ端末の全体構成の一例を示す図である。
【図１９】本実施の形態に係るユーザ端末の機能構成の一例を示す図である。
【図２０】本実施の形態に係る無線基地局及びユーザ端末のハードウェア構成の一例を示す図である。
【発明を実施するための形態】
【００１３】
将来の無線通信システム（例えば、ＬＴＥ  Ｒｅｌ．１５〜、５Ｇ、ＮＲなど）では、ＵＣＩの送信に用いられる上り制御チャネル（例えば、ＰＵＣＣＨ）用の構成（フォーマット、ＰＵＣＣＨフォーマット（ＰＦ）等ともいう）が検討されている。例えば、ＬＴＥ  Ｒｅｌ．１５では、５種類のＰＦ０〜４をサポートすることが検討されている。なお、以下に示すＰＦの名称は例示にすぎず、異なる名称が用いられてもよい。
【００１４】
例えば、ＰＦ０及び１は、２ビット以下（up  to  2  bits）のＵＣＩ（例えば、送達確認情報（ＨＡＲＱ−ＡＣＫ：Hybrid  Automatic  Repeat  reQuest−Acknowledge、ＡＣＫ又はＮＡＣＫ等ともいう）の送信に用いられるＰＦである。ＰＦ０は、１又は２シンボルに割り当て可能であるため、ショートＰＵＣＣＨ又はシーケンスベース（sequence-based）ショートＰＵＣＣＨ等とも呼ばれる。一方、ＰＦ１は、４−１４シンボルに割り当て可能であるため、ロングＰＵＣＣＨ等とも呼ばれる。ＰＦ１では、ＣＳ及びＯＣＣの少なくとも一つを用いた時間領域のブロック拡散により、同一のＰＲＢ内で複数のユーザ端末が符号分割多重（ＣＤＭ）されてもよい。
【００１５】
ＰＦ２−４は、２ビットを超える（more  than  2  bits）ＵＣＩ（例えば、チャネル状態情報（ＣＳＩ：Channel  State  Information）（又は、ＣＳＩとＨＡＲＱ−ＡＣＫ及び／又はスケジューリング要求（ＳＲ）））の送信に用いられるＰＦである。ＰＦ２は、１又は２シンボルに割り当て可能であるため、ショートＰＵＣＣＨ等とも呼ばれる。一方、ＰＦ３、４は、４−１４シンボルに割り当て可能であるため、ロングＰＵＣＣＨ等とも呼ばれる。ＰＦ３では、ＤＦＴ前の（周波数領域）のブロック拡散を用いて複数のユーザ端末がＣＤＭされてもよい。
【００１６】
当該上り制御チャネルの送信に用いられるリソース（例えば、ＰＵＣＣＨリソース）の割り当て（allocation）は、上位レイヤシグナリング及び／又は下り制御情報（ＤＣＩ）を用いて行われる。ここで、上位レイヤシグナリングは、例えば、ＲＲＣ（Radio  Resource  Control）シグナリング、システム情報（例えば、ＲＭＳＩ：Remaining  Minimum  System  Information、ＯＳＩ：Other  system  information、ＭＩＢ：Master  Information  Block、ＳＩＢ：System  Information  Blockの少なくとも一つ）、ブロードキャスト情報（ＰＢＣＨ：Physical  Broadcast  Channel）の少なくとも一つであればよい。
【００１７】
具体的には、ユーザ端末に対しては、一以上のＰＵＣＣＨリソースをそれぞれ含む一以上のセット（ＰＵＣＣＨリソースセット）が上位レイヤシグナリングにより通知（設定（configure））される。例えば、ユーザ端末に対して、Ｋ（例えば、１≦Ｋ≦４）個のＰＵＣＣＨリソースセットが無線基地局から通知されてもよい。各ＰＵＣＣＨリソースセットは、Ｍ（例えば、４≦Ｍ≦８）個のＰＵＣＣＨリソースを含んでもよい。
【００１８】
ユーザ端末は、ＵＣＩのペイロードサイズ（ＵＣＩペイロードサイズ）に基づいて、設定されたＫ個のＰＵＣＣＨリソースセットから単一のＰＵＣＣＨリソースセットを決定してもよい。ＵＣＩペイロードサイズは、巡回冗長検査（ＣＲＣ：Cyclic  Redundancy  Code）ビットを含まないＵＣＩのビット数であってもよい。
【００１９】
ユーザ端末は、決定されたＰＵＣＣＨリソースセットに含まれるＭ個のＰＵＣＣＨリソースから、ＤＣＩ及び黙示的な（implicit）情報（黙示的指示（implicit  indication）情報又は黙示的インデックス等ともいう）の少なくとも一つに基づいて、ＵＣＩの送信に用いるＰＵＣＣＨリソースを決定してもよい。
【００２０】
図１は、ＰＵＣＣＨリソースの割り当ての一例を示す図である。図１では、一例として、Ｋ＝４であり、４個のＰＵＣＣＨリソースセット＃０−＃３が無線基地局からユーザ端末に上位レイヤシグナリングにより設定（configure）されるものとする。また、ＰＵＣＣＨリソースセット＃０−＃３は、それぞれ、Ｍ（例えば、４≦Ｍ≦８）個のＰＵＣＣＨリソース＃０−＃Ｍ−１を含むものとする。なお、各ＰＵＣＣＨリソースセットが含むＰＵＣＣＨリソースの数は、同一であってもよいし、異なってもよい。
【００２１】
図１において、ユーザ端末に設定される各ＰＵＣＣＨリソースは、以下の少なくとも一つのパラメータ（フィールド又は情報等ともいう）の値を含んでもよい。なお、各パラメータには、ＰＵＣＣＨフォーマット毎にとり得る値の範囲が定められてもよい。
・ＰＵＣＣＨの割り当てが開始されるシンボル（開始シンボル）
・スロット内でＰＵＣＣＨに割り当てられるシンボル数（ＰＵＣＣＨに割り当てられる期間）
・ＰＵＣＣＨの割り当てが開始されるリソースブロック（物理リソースブロック（ＰＲＢ：Physical  Resource  Block））のインデックス
・ＰＵＣＣＨに割り当てられるＰＲＢの数
・ＰＵＣＣＨに周波数ホッピングを有効化するか否か
・周波数ホッピングが有効な場合の第２ホップの周波数リソース、初期巡回シフト（ＣＳ：Cyclic  Shift）のインデックス
・時間領域（time-domain）における直交拡散符号（例えば、ＯＣＣ：Orthogonal  Cover  Code）のインデックス、離散フーリエ変換（ＤＦＴ）前のブロック拡散に用いられるＯＣＣの長さ（ＯＣＣ長、拡散率等ともいう）
・ＤＦＴ後のブロック拡散（block-wise  spreading）に用いられるＯＣＣのインデックス
【００２２】
図１に示すように、ユーザ端末に対してＰＵＣＣＨリソースセット＃０〜＃３が設定される場合、ユーザ端末は、ＵＣＩペイロードサイズに基づいていずれかのＰＵＣＣＨリソースセットを選択する。
【００２３】
例えば、ＵＣＩペイロードサイズが１又は２ビットである場合、ＰＵＣＣＨリソースセット＃０が選択される。また、ＵＣＩペイロードサイズが３ビット以上Ｎ２−１ビット以下である場合、ＰＵＣＣＨリソースセット＃１が選択される。また、ＵＣＩペイロードサイズがＮ２ビット以上Ｎ３−１ビット以下である場合、ＰＵＣＣＨリソースセット＃２が選択される。同様に、ＵＣＩペイロードサイズがＮ３ビット以上Ｎ３−１ビット以下である場合、ＰＵＣＣＨリソースセット＃３が選択される。
【００２４】
このように、ＰＵＣＣＨリソースセット＃ｉ（ｉ＝０，…，Ｋ−１）が選択されるＵＣＩペイロードサイズの範囲は、Ｎｉビット以上Ｎｉ＋１−１ビット以下（すなわち、｛Ｎｉ，…，Ｎｉ＋１−１｝ビット）と示される。
【００２５】
ここで、ＰＵＣＣＨリソースセット＃０、＃１用のＵＣＩペイロードサイズの開始位置（開始ビット数）Ｎ０、Ｎ１は、それぞれ、１、３であってもよい。これにより、２ビット以下のＵＣＩを送信する場合にＰＵＣＣＨリソースセット＃０が選択されるので、ＰＵＣＣＨリソースセット＃０は、ＰＦ０及びＰＦ１の少なくとも一つ用のＰＵＣＣＨリソース＃０〜＃Ｍ−１を含んでもよい。一方、２ビットを超えるＵＣＩを送信する場合にはＰＵＣＣＨリソースセット＃１〜＃３のいずれかが選択されるので、ＰＵＣＣＨリソースセット＃１〜＃３は、それぞれ、ＰＦ２、ＰＦ３及びＰＦ１の少なくとも一つ用のＰＵＣＣＨリソース＃０〜＃Ｍ−１を含んでもよい。
【００２６】
ｉ＝２，…,Ｋ−１である場合、ＰＵＣＣＨリソースセット＃ｉ用のＵＣＩのペイロードサイズの開始位置（Ｎｉ）を示す情報（開始位置情報）は、上位レイヤシグナリングを用いてユーザ端末に通知（設定）されてもよい。当該開始位置（Ｎｉ）は、ユーザ端末固有であってもよい。例えば、当該開始位置（Ｎｉ）は、４ビット以上２５６以下の範囲の値（例えば、４の倍数）に設定されてもよい。例えば、図１では、ＰＵＣＣＨリソースセット＃２、＃３用のＵＣＩペイロードサイズの開始位置（Ｎ２、Ｎ３）を示す情報が、それぞれ、上位レイヤシグナリング（例えば、ユーザ固有のＲＲＣシグナリング）がユーザ端末に通知される。
【００２７】
各ＰＵＣＣＨリソースセットのＵＣＩの最大のペイロードサイズは、ＮＫ−１で与えられる。ＮＫは、上位レイヤシグナリング及び／又はＤＣＩにより明示的にユーザ端末に通知（設定）されてもよいし、黙示的に導出されてもよい。例えば、図１では、Ｎ0＝１、Ｎ1＝３は仕様で規定されていて、Ｎ2とＮ3が上位レイヤシグナリングで通知されてもよい。また、Ｎ4は、仕様で規定されていてもよい（例えば、Ｎ4=1000）。
【００２８】
図１に示す場合、ユーザ端末は、ＵＣＩペイロードサイズに基づいて選択されるＰＵＣＣＨリソースセットに含まれるＰＵＣＣＨリソース＃０〜＃Ｍ−１の中から、ＤＣＩの所定フィールドの値に基づいて、ＵＣＩの送信に用いる単一のＰＵＣＣＨリソースを決定できる。当該所定フィールドのビット数が２ビットである場合、４種類のＰＵＣＣＨリソースを指定可能である。
【００２９】
一方、各ＰＵＣＣＨリソースセットは、４を超える種類のＰＵＣＣＨリソースを含むことが想定される。このため、ＵＣＩペイロードサイズに基づいて選択されるＰＵＣＣＨリソースセットが、ＤＣＩの所定フィールドで指定可能な数よりも多い数（例えば、ＤＣＩの所定フィールドが２ビットの場合、Ｍ＞４）のＰＵＣＣＨリソースを含む場合、ユーザ端末がＵＣＩの送信に用いるＰＵＣＣＨリソースを適切に決定（特定）できない恐れがある。
【００３０】
そこで、本発明者らは、ユーザ端末が、ＵＣＩペイロードサイズに基づいて選択されたＰＵＣＣＨリソースセットに含まれるＭ個のＰＵＣＣＨリソースの中から、ＵＣＩの送信に用いるＰＵＣＣＨリソースを適切に決定する方法を検討し、本発明に至った。
【００３１】
以下、本実施の形態について詳細に説明する。なお、以下において、各ＰＵＣＣＨリソースセット内の各ＰＵＣＣＨリソースは、上位レイヤシグナリングにより無線基地局からユーザ端末に明示的に通知（設定）されるものとするが、これに限られない。例えば、少なくとも一つのＰＵＣＣＨリソースセット内の少なくとも一つのＰＵＣＣＨリソースは、仕様により予め定められていてもよいし、ユーザ端末において導出されてもよい。
【００３２】
また、以下では、一例として、ユーザ端末に対してＫ（例えば、１≦Ｋ≦４）個のＰＵＣＣＨリソースセットが設定（configure）されており、各ＰＵＣＣＨリソースセットは、Ｍ個（例えば、１≦Ｍ≦８）個のＰＵＣＣＨリソースセットが含まれるものとするが、Ｋ、Ｍの値これに限られない。
【００３３】
また、以下では、ＰＵＣＣＨリソースの決定に用いられるＤＣＩ内の所定フィールドのビット数（ｘ）は、２であるものとするが、これに限られず、ｘ≧１であればよい。以下の各態様は、ＵＣＩペイロードサイズに基づいてＫ個のＰＵＣＣＨリソースセットから選択された単一のＰＵＣＣＨリソースセットが、２のＸ乗よりも大きい数のＰＵＣＣＨリソースを含む場合（すなわち、Ｍ＞２＾Ｘの場合）に適用可能である。
【００３４】
また、当該ｘビットの所定フィールドは、ＰＵＣＣＨリソース識別子（PUCCH  resource  indicator）用フィールド、ＡＣＫ／ＮＡＣＫリソース識別子（ＡＲＩ：ACK/NACK  Resource  Indicator）、ＡＣＫ／ＮＡＣＫリソースオフセット（ＡＲＯ：ACK/NACK  Resource  Offset）又はＴＰＣコマンド用フィールド等とも呼ばれてもよい。
【００３５】
また、ＵＣＩは、下り共有チャネル（例えば、ＰＤＳＣＨ：Physical  Downlink  Shared  Channel）に対する送達確認情報（例えば、再送制御情報、ＨＡＲＱ−ＡＣＫ（Hybrid  Automatic  Repeat  reQuest−Acknowledge）、ＡＣＫ／ＮＡＣＫ（Acknowledge／Non- Acknowledge）等ともいう）、上り共有チャネル（例えば、ＰＵＳＣＨ）のスケジューリング要求（ＳＲ：Scheduling  Request）、チャネル状態情報（ＣＳＩ：Channel  State  Informtion）の少なくとも一つを含んでもよい。
【００３６】
（第１の態様）
第１の態様では、ＵＣＩペイロードサイズに基づいて選択されたＰＵＣＣＨリソースセットに含まれるＰＵＣＣＨリソースの数（Ｍ）が４よりも大きい場合、ユーザ端末は、ＤＣＩ内の所定フィールド値及び黙示的指示情報（implicit  indication）に基づいて、Ｍ個のＰＵＣＣＨリソースからＵＣＩの送信に用いられるＰＵＣＣＨリソースを決定する。
【００３７】
図２は、ＤＣＩ内の所定フィールド値の一例を示す図である。図２Ａでは、Ｍ≦４の場合の一例（ここでは、Ｍ＝４）が示され、図２Ｂでは、Ｍ＞４の場合の一例（ここでは、Ｍ＝８）が示される。例えば、図２Ａに示すように、Ｍ≦４の場合、ＤＣＩ内の所定フィールドの各値が一つのＰＵＣＣＨリソースを示してもよい。このため、ユーザ端末は、ＤＣＩ内の所定フィールド値により一意にＰＵＣＣＨリソースを決定できる。
【００３８】
一方、例えば、図２Ｂに示すように、Ｍ＞４の場合、ＤＣＩ内の所定フィールドの各値が複数のＰＵＣＣＨリソース（ここでは、２ＰＵＣＣＨリソース）を示してもよい。ユーザ端末は、ＤＣＩ内の所定フィールド値が示す複数のＰＵＣＣＨリソースの一つを、黙示的指示情報（例えば、１ビット）により決定してもよい。なお、４＜Ｍ＜８の場合、当該所定フィールドの一部の値には、一つのＰＵＣＣＨリソースが関連付けられてもよい。
【００３９】
＜黙示的指示情報の導出＞
ここで、黙示的指示情報（例えば、図２Ｂの「０」又は「１」）は、以下の（１）〜（８）の少なくとも一つの情報に基づいて導出できる。以下の（１）〜（８）の少なくとも一つの情報は、上位レイヤシグナリング及びＤＣＩの少なくとも一つによりユーザ端末に通知されてもよいし、ユーザ端末で導出されてもよい。
【００４０】
（１）下り制御チャネル（例えば、ＰＤＣＣＨ：Physical  Downlink  Control  Channel、以下、ＰＤＣＣＨという）がマッピングされる制御リソース単位のインデックス（例えば、最小の（lowest）インデックス）。当該制御リソース単位は、例えば、制御チャネル要素（ＣＣＥ：Control  Channel  Element）、一以上のＣＣＥを含むＣＣＥグループ、一以上のリソース要素（ＲＥ：Resource  Element）を含むリソース要素グループ（ＲＥＧ：Resource  Element  Group）又は一以上のＲＥＧバンドル（ＲＥＧグループ）等であればよい。
【００４１】
時間領域（time  domain）及び／又は周波数領域（frequency  domain）で複数のＰＤＣＣＨが存在する場合、ユーザ端末は、上記黙示的指示情報の導出に用いられるＰＤＣＣＨを所定のルールに従って決定（選択）してもよい。例えば、複数のスロット（伝送時間間隔（ＴＴＩ：Transmission  Time  Interval）等ともいう）のそれぞれで複数のＰＤＣＣＨが送信される場合、直近のスロット（latest  slot）のＰＤＣＣＨが選択されてもよい。
【００４２】
また、複数のコンポーネントキャリア（ＣＣ：Component  Carrier）（セル、サービングセル又はキャリア等ともいう）がユーザ端末に設定される場合（例えば、キャリアアグリゲーション（ＣＡ）又はデュアルコネクティビティ（ＤＣ）の場合）、所定のインデックス（例えば、最小（lowest）又は最高（highest）のインデックス）を有するＣＣのＰＤＣＣＨが選択されてもよい。
【００４３】
（２）ＰＤＣＣＨに関連付けられる制御リソースセット（ＣＯＲＥＳＥＴ：Control  Resource  Set）のインデックス。ここで、ＣＯＲＥＳＥＴとは、ＰＤＣＣＨが割当てられるリソース領域であり、所定の周波数領域リソースと時間領域リソース（例えば１又は２ＯＦＤＭシンボルなど）を含んで構成されてもよい。ＰＤＣＣＨ（又はＤＣＩ）は、ＣＯＲＥＳＥＴ内の制御リソース単位にマッピングされる。なお、時間領域及び／又は周波数領域で複数のＰＤＣＣＨが存在する場合については、（１）で説明したルールに従ってＰＤＣＣＨが選択されればよい。
【００４４】
（３）ＰＤＣＣＨに関連付けられるサーチスペースのインデックス。なお、時間領域及び／又は周波数領域で複数のＰＤＣＣＨが存在する場合については、（１）で説明したルールに従ってＰＤＣＣＨが選択されればよい。
【００４５】
（４）例えば、ＰＤＣＣＨに関連付けられる送信構成識別子（ＴＣＩ：Transmission  configuration  Indicator）の状態（ＴＣＩ状態（TCI-state））。ここで、ＴＣＩ状態は、ＰＤＣＣＨの疑似コロケーション（ＱＣＬ：Quasi-Co-Location）に関する情報を示してもよい（含んでもよい）。
【００４６】
また、ＱＣＬとは、チャネルの統計的性質を示す指標である。例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Prameter））の少なくとも一つのパラメータが同一であると仮定できることをいう。同一であると仮定できるパラメータの種類に応じて複数のＱＣＬタイプが設けられてもよい。
【００４７】
例えば、ＰＤＣＣＨに関連付けられるＴＣＩ状態は、ＰＤＣＣＨ（又は当該ＰＤＣＣＨ用の復調用参照信号（ＤＭＲＳ：Demodulation  Reference  Signal）のアンテナポート）とＱＣＬの関係となる下り参照信号（ＤＬ−ＲＳ）及びＱＣＬのタイプ等の少なくとも一つを示してもよい。なお、時間領域及び／又は周波数領域で複数のＰＤＣＣＨが存在する場合については、（１）で説明したルールに従ってＰＤＣＣＨが選択されればよい。
【００４８】
（５）ＰＤＳＣＨに対するＨＡＲＱ−ＡＣＫのビット数。
【００４９】
（６）セカンダリセル（ＳＣｅｌｌ：Secondary  Cell）の下り共有チャネル（例えば、ＰＤＳＣＨ）のスケジューリングに用いられるＤＣＩ内の所定フィールド値（例えば、送信電力制御（ＴＰＣ：Transmission  Power  Control）コマンド用フィールドの値）。
【００５０】
（７）復調用参照信号（ＤＭＲＳ）の構成情報。ここで、ＤＭＲＳの構成情報とは、例えば、ＰＤＳＣＨ用のＤＭＲＳの位置を示す情報（ＰＤＳＣＨマッピングタイプＡ又はＢ、ＤＭＲＳタイプＡ又はＢ等ともいう）を含んでもよい。
【００５１】
（８）ＵＣＩのペイロード。
【００５２】
具体的には、上記黙示的指示情報（例えば、図２Ｂの「０」又は「１」）は、上記（１）〜（８）の少なくとも一つの情報のモジュロ演算結果に基づいて導出されてもよい（第１の導出例）。また、上記黙示的指示情報は、上記（１）〜（８）の少なくとも一つの情報と予め定められたセグメント（部分領域、パート等ともいう）とに基づいて導出されもよい（第２の導出例）。また、上記黙示的指示情報は、上記（１）〜（８）の少なくとも一つの情報に基づく他の方法を用いて導出されてもよい（第３〜第４の導出例）。
【００５３】
≪第１の導出例≫
第１の導出例では、モジュロ演算を用いた上記黙示的指示情報の導出例について説明する。例えば、ユーザ端末は、上記（１）制御リソース単位（例えば、ＣＣＥ）の最小インデックスを用いたモジュロ演算の結果に基づいて、上記黙示的指示情報を導出してもよい。
【００５４】
具体的には、ユーザ端末に単一のＣＣが設定される場合、ユーザ端末は、直近に受信されたＰＤＣＣＨがマッピングされるＣＣＥの最小インデックス（Ｃ）と、アグリゲーションレベル（Ｌ）と、ＤＣＩ内の所定フィールドの同一値に関連付けられるＰＵＣＣＨリソース数（Ｍ、例えば、図２Ｂでは、Ｍ＝２、サブセット内のＰＵＣＣＨリソース数等ともいう）とに基づくモジュロ演算により、上記黙示的指示情報（ｒ）を導出してもよい。例えば、当該モジュロ演算には、下記式（１）を用いることができる。
【数１】
2019142340.tif 000003
【００５５】
また、ユーザ端末に複数のＣＣが設定される場合、上記ＣＣＥの最小インデックス（ｃ）は、所定ＣＣ（例えば、最小又は最高のインデックスのＣＣ）で直近に受信されたＰＤＣＣＨがマッピングされるＣＣＥの最小インデックスであってもよい。
【００５６】
第１の導出例において、ユーザ端末が直近のＰＤＣＣＨの検出に失敗する場合、ユーザ端末は、その前のＰＤＣＣＨがマッピングされるＣＣＥの最小インデックス（Ｃ）に基づいて、上記黙示的指示情報を導出する。この場合、無線基地局は、前のＰＤＣＣＨがマッピングされるＣＣＥの最小インデックス（ｃ）に基づいてＰＵＣＣＨリソースが決定されることをブラインドで検出し、当該ＰＵＣＣＨリソースに基づいてＵＣＩの受信処理（例えば、デマッピング、復調、復号の少なくとも一つ）を行ってもよい。
【００５７】
なお、第１の導出例では、上記（１）ＣＣＥの最小インデックスに基づくモジュロ演算について説明したが、これに限られない。第１の導出例では、上記（２）ＣＯＲＥＳＥＴのインデックス、（３）サーチスペースのインデックス、（４）ＴＣＩ状態、（５）ＨＡＲＱ−ＡＣＫのビット数のいずれかと、ＤＣＩ内の同一の所定フィールド値に関連付けられるＰＵＣＣＨリソース数（Ｍ、例えば、図２Ｂでは、Ｍ＝２）とを用いたモジュロ演算により、上記黙示的指示情報が導出されてもよい。
【００５８】
≪第２の導出例≫
第２の導出例では、予め定められたセグメントを用いた上記黙示的指示情報の導出例について説明する。
【００５９】
図３は、第１の態様に係る黙示的指示情報の第２の導出例の一例を示す図である。図３Ａに示すように、サーチスペース内の総ＣＣＥが、Ｘ個のセグメントに分割されてもよい。ここで、セグメントの数（Ｘ）は、ＤＣＩ内の所定フィールドの同一値に関連付けられるＰＵＣＣＨリソース数（図２Ｂでは、２）と等しく設定されてもよい。
【００６０】
各セグメントのサイズは、サーチスペース内の総ＣＣＥ数とＸとに基づいて決定される。具体的には、各セグメントのサイズは、サーチスペース内の総ＣＣＥ数／Ｘを天井関数又は床関数で演算して求められてもよい。例えば、図３Ａでは、サーチスペース内の総ＣＣＥ数である２０ＣＣＥが２セグメントに分割され、各セグメントが１０ＣＣＥを有する。
【００６１】
図３Ａにおいて、ユーザ端末は、上記（１）ＰＤＣＣＨがマッピングされるＣＣＥの最小インデックスと予め定められたセグメントとに基づいて、上記黙示的指示情報を導出してもよい。具体的には、当該ＣＣＥの最小インデックスがどのセグメントに属するかによって、黙示的指示情報を導出してもよい。例えば、当該最小インデックスがセグメント１に属する場合、黙示的指示情報「０」が導出され、当該最小インデックスがセグメント２に属する場合、黙示的指示情報「１」が導出されてもよい。
【００６２】
図３Ｂでは、Ｘ＝２で、同じＵＣＩペイロードに対して２つのＰＵＣＣＨリソースセットが設定される場合が示される。この場合、図３Ｂに示すように、各ＣＣのＣＣＥがＸ個のセグメントに分割されてもよい。各ＣＣの各セグメントのサイズは、サーチスペース内の対応するＣＣのＣＣＥ数／Ｘを天井関数又は床関数で演算して求められてもよい。これにより、ＣＣ＃１のＣＣＥ数とＣＣ＃２のＣＣＥ数が異なる場合も、暗示的指示情報（０）と暗示的指示情報（１）が同じ割合で出力されるため、より柔軟にPUCCHリソースの通知を行うことができる。
【００６３】
図４は、第１の態様に係る黙示的指示情報の第２の導出例の他の例を示す図である。図４では、ＰＵＣＣＨリソースセットに割り当てられるＵＣＩペイロードサイズが、Ｘ個のセグメントに分割されてもよい。ここで、セグメントの数（Ｘ）は、ＤＣＩ内の所定フィールドの同一値に関連付けられるＰＵＣＣＨリソース数（図２Ｂでは、２）と等しく設定されてもよい。
【００６４】
例えば、ＵＣＩペイロードサイズに基づいてＰＵＣＣＨリソースセット＃ｋ（図４では、ｋ＝２）が選択される場合、（Ｎｋ＋１−Ｎｋ）／２を基準として、（Ｎｋ＋１−Ｎｋ）個のＵＣＩペイロードサイズが２セグメントに分割されてもよい。ユーザ端末は、ＵＣＩペイロードサイズ（例えば、上記（５）ＨＡＲＱ−ＡＣＫのビット数）がどのセグメントに属するかに基づいて黙示的指示情報を導出してもよい。
【００６５】
具体的には、ユーザ端末は、ＵＣＩペイロードサイズが（Ｎｋ＋１−Ｎｋ）／２以下である場合、セグメント１に関連付けられた黙示的指示情報「０」を導出してもよい。一方、ユーザ端末は、ＵＣＩペイロードサイズが（Ｎｋ＋１−Ｎｋ）／２よりも大きい場合、セグメント２に関連付けられた黙示的指示情報「１」を導出してもよい。
【００６６】
≪第３の導出例≫
第３の導出例では、上位レイヤシグナリング（例えば、ＲＲＣシグナリング）を用いた上記黙示的指示情報の導出例について説明する。以下では、上位レイヤシグナリングされる情報として、上記（７）ＰＤＳＣＨ用の復調用参照信号（ＤＭＲＳ）の構成情報、ＨＡＲＱ−ＡＣＫのコードブックのタイプを例示するが、これらに限られない。上記黙示的指示情報は、上位レイヤシグナリングされる他の情報に基づいて導出されてもよい。
【００６７】
図５は、第１の態様に係る黙示的指示情報の第３の導出例の一例を示す図である。図５Ａ及び５Ｂでは、ＤＭＲＳの構成情報（例えば、ＤＭＲＳタイプ、追加ＤＭＲＳの位置情報）に基づく黙示的指示情報の導出例が示される。なお、図５Ａ及び５Ｂでは、図示しないが、ＤＭＲＳタイプ及び追加ＤＭＲＳの位置情報の組み合わせに基づいて、黙示的指示情報が導出されてもよい。
【００６８】
図５Ａでは、ＰＤＳＣＨ用のＤＭＲＳタイプに基づく導出例が示される。図５Ａに示すように、ＰＤＳＣＨのＤＭＲＳタイプとしてタイプ１がユーザ端末に設定（configure）される場合、黙示的指示情報「０」が導出され、タイプ２がユーザ端末に設定される場合黙示的指示情報「１」が導出されてもよい。
【００６９】
ここで、ＤＭＲＳタイプとは、ＤＭＲＳのリソース要素（ＲＥ）に対するマッピングパターンを示す情報である。タイプ１では、スロットの先頭シンボルを基準としてＤＭＲＳがマッピングされるのに対して、タイプ２では、ＰＤＳＣＨにスケジューリングされる開始シンボルを基準としてＤＭＲＳがマッピングされる。ＤＭＲＳタイプは、上位レイヤパラメータ（例えば、「DL-DMRS-config-type」）によって示されてもよい。
【００７０】
図５Ｂでは、ＰＤＳＣＨ用の追加ＤＭＲＳの位置情報に基づく導出例が示される。図５Ｂに示すように、追加ＤＭＲＳの位置情報として第１の位置（ｐｏｓ０）又は第２の位置（ｐｏｓ１）がユーザ端末に設定される場合、黙示的指示情報「０」が導出され、第３の位置（ｐｏｓ２）又は第４の位置（ｐｏｓ３）がユーザ端末に設定される場合、黙示的指示情報「１」が導出されてもよい。
【００７１】
ここで、追加ＤＭＲＳの位置情報とは、追加でマッピングされるＤＭＲＳの位置を示す情報である。当該追加ＤＭＲＳの位置情報は、上位レイヤパラメータ（例えば、「DL-DMRS-add-pos」）によって示されてもよい。
【００７２】
図６は、第１の態様に係る黙示的指示情報の第３の導出例の他の例を示す図である。図６では、ＨＡＲＱ−ＡＣＫのコードブックのタイプ（コードブックタイプ）に基づく導出例が示される。図６に示すように、ＨＡＲＱ−ＡＣＫのコードブックタイプとしてタイプ１がユーザ端末に設定（configure）される場合、黙示的指示情報「０」が導出され、タイプ２がユーザ端末に設定される場合黙示的指示情報「１」が導出されてもよい。
【００７３】
ここで、コードブックタイプとは、ＨＡＲＱ−ＡＣＫのビット数が準静的又は動的に制御されるか否かを示す情報である。タイプ１では、ＨＡＲＱ−ＡＣＫのビット数が準静的に制御されるのに対して、タイプ２では、ＨＡＲＱ−ＡＣＫのビット数がＤＡＩ（Downlink  Assignment  Indicator）に基づいて動的に制御されてもよい。コードブックタイプは、上位レイヤシグナリングによって通知されてもよく、例えば上位レイヤパラメータ「HARQ-ACK-codebook」で示されてもよい。
【００７４】
≪第４の導出例≫
第４の導出例では、上記黙示的指示情報の他の導出例について説明する。図７は、第１の態様に係る黙示的指示情報の第４の導出例の一例を示す図である。図７Ａでは、ユーザ端末は、ＰＤＳＣＨがスケジューリングされるセルに基づいて黙示的指示情報を導出する。
【００７５】
例えば、図７Ａに示すように、ユーザ端末は、プライマリセル（ＰＣｅｌｌ）だけにＰＤＳＣＨがスケジューリングされる場合黙示的指示情報「０」を導出してもよい。一方、ユーザ端末は、ＰＣｅｌｌに加えて一以上のＳＣｅｌｌにもＰＤＳＣＨがスケジューリングされる場合黙示的指示情報「１」を導出してもよい。
【００７６】
図７Ａでは、ユーザ端末がＳＣｅｌｌのＰＤＣＣＨの検出に失敗する場合、黙示的指示情報を誤って導出する恐れがある。この場合、無線基地局は、誤導出された黙示的指示情報「０」に基づくＰＵＣＣＨリソースだけでなく、誤導出された黙示的指示情報「１」に基づくＰＵＣＣＨリソースに基づいて、ＵＣＩの受信処理（例えば、デマッピング、復調、復号の少なくとも一つ）を行ってもよい。
【００７７】
図７Ｂでは、ユーザ端末は、ＵＣＩペイロードサイズに基づいて黙示的指示情報を導出する。例えば、図７Ｂに示すように、ユーザ端末は、ＵＣＩペイロードサイズが偶数（even）である場合黙示的指示情報「０」を導出し、当該ＵＣＩペイロードサイズが奇数（odd）である場合黙示的指示情報「１」を導出してもよい。
【００７８】
図８は、第１の態様に係る黙示的指示情報の第４の導出例の他の例を示す図である。図８では、ユーザ端末は、所定セル（例えば、ＳＣｅｌｌ）で送信されるＤＣＩの所定フィールド値に基づいて黙示的指示情報を導出する。
【００７９】
当該所定フィールドは、例えば、ＴＰＣコマンドフィールドであってもよい。ＰＣｅｌｌで送信されるＤＣＩ内のＴＰＣコマンドフィールドは、ＰＵＣＣＨの送信電力制御に用いられるが、ＳＣｅｌｌで送信されるＤＣＩ内のＴＰＣコマンドフィールドは未使用となることが想定される。そこで、図８に示すように、ＳＣｅｌｌで送信されるＤＣＩ内の所定フィールド値（例えば、ＴＰＣコマンドフィールド値）が黙示的指示情報を示してもよい。
【００８０】
第１の態様では、ＵＣＩペイロードサイズに基づいて選択されたＰＵＣＣＨリソースセットにＭ（Ｍ＞４）個のＰＵＣＣＨリソースが含まれる場合でも、ユーザ端末は、ＤＣＩ内の所定フィールド値及び黙示的指示情報に基づいて、当該Ｍ個のＰＵＣＣＨリソースからＵＣＩの送信に用いられるＰＵＣＣＨリソースを決定できる。
【００８１】
（第２の態様）
第２の態様では、時間領域及び／又は周波数領域の一以上のＨＡＲＱ−ＡＣＫ（例えば、一以上のスロット及び／又は一以上のセルで送信されたＰＤＳＣＨに対するＨＡＲＱ−ＡＣＫ）の送信に用いられるＰＵＣＣＨリソースの決定について説明する。なお、第２の態様では、ＵＣＩの一例としてＨＡＲＱ−ＡＣＫを示すが、ＵＣＩには、ＨＡＲＱ−ＡＣＫに加えてＳＲ及び／又はＣＳＩが含まれていてもよい。
【００８２】
ユーザ端末は、一以上のスロット及び／又は一以上のセルで送信されたＰＤＳＣＨに対するＨＡＲＱ−ＡＣＫを無線基地局にフィードバックする場合、ユーザ端末は、必ず、ＤＣＩ内の所定フィールド値及び上記黙示的指示情報の双方に基づいて、当該ＨＡＲＱ−ＡＣＫの送信に用いるＰＵＣＣＨリソースを決定してもよい（第１の決定例）。或いは、同様の場合、黙示的指示情報を用いるか否かは制御されてもよい（第２の決定例）。
【００８３】
＜第１の決定例＞
第１の決定例では、以下のＡ）〜Ｄ）の全てのケースにおいて、ユーザ端末は、ＤＣＩ内の所定フィールド値及び上記黙示的指示情報の双方に基づいて、当該ＨＡＲＱ−ＡＣＫの送信に用いるＰＵＣＣＨリソースを決定する。
【００８４】
Ａ）１スロット及び１セルで送信されたＰＤＳＣＨに対するＨＡＲＱ−ＡＣＫをフィードバックする場合
Ｂ）１スロット及び複数のセルで送信されたＰＤＳＣＨに対するＨＡＲＱ−ＡＣＫをフィードバックする場合
Ｃ）複数のスロット及び複数のセルで送信されたＰＤＳＣＨに対するＨＡＲＱ−ＡＣＫをフィードバックする場合
Ｄ）複数のスロット及び複数のセルで送信されたＰＤＳＣＨに対するＨＡＲＱ−ＡＣＫをフィードバックする場合
【００８５】
ケースＡ）では、ＨＡＲＱ−ＡＣＫ用のＰＵＣＣＨリソースの決定に用いられるＤＣＩは、ＰＤＳＣＨのスケジューリングに用いられるＤＣＩであってもよい。また、上記黙示的指示情報は、第１の態様で説明したように導出されればよい。
【００８６】
ケースＢ）では、ＨＡＲＱ−ＡＣＫ用のＰＵＣＣＨリソースの決定に用いられるＤＣＩは、所定インデックス（例えば、最小インデックス又は最高インデックス）のセル（ＣＣ）で送信されるＤＣＩであってもよい。また、上記黙示的指示情報は、第１の態様で説明したように導出されればよい（ＰＤＣＣＨに基づく場合は、所定インデックス（例えば、最小インデックス、最高インデックス、２番目に小さいインデックス又は２番目に高いインデックス）のセルで送信されるＰＤＣＣＨに基づいて導出されてもよい）。
【００８７】
ケースＣ）では、ＨＡＲＱ−ＡＣＫ用のＰＵＣＣＨリソースの決定に用いられるＤＣＩは、所定スロット（例えば、最初のスロット又は最後（直近）のスロット）で送信されるＤＣＩであってもよい。また、上記黙示的指示情報は、第１の態様で説明したように導出されればよい（ＰＤＣＣＨに基づく場合は、所定スロット（例えば、最初のスロット、最後（直近）のスロット、２番目に最初のスロット又は２番目に最後のスロット）で送信されるＰＤＣＣＨに基づいて導出されてもよい）。
【００８８】
ケースＤ）では、ＨＡＲＱ−ＡＣＫ用のＰＵＣＣＨリソースの決定に用いられるＤＣＩは、所定インデックス（例えば、最小インデックス又は最高インデックス）のセル（ＣＣ）及び所定スロット（例えば、最初のスロット又は最後（直近）のスロット）で送信されるＤＣＩであってもよい。また、上記黙示的指示情報は、第１の態様で説明したように導出されればよい（ＰＤＣＣＨに基づく場合は、所定インデックス（例えば、最小インデックス、最高インデックス、２番目に小さいインデックス又は２番目に高いインデックス）のセル及び所定スロット（ＰＤＣＣＨに基づく場合は、所定スロット（例えば、最初のスロット、最後（直近）のスロット、２番目に最初のスロット又は２番目に最後のスロット）で送信されるＰＤＣＣＨに基づいて導出されてもよい）。
【００８９】
＜第２の決定例＞
第２の決定例では、上記ケースＡ）〜Ｄ）の一部において、ユーザ端末は、ＤＣＩ内の所定フィールド値及び上記黙示的指示情報の双方に基づいて、当該ＨＡＲＱ−ＡＣＫの送信に用いるＰＵＣＣＨリソースを決定してもよい。すなわち、一部のケース（例えば、上記Ｂ）〜Ｄ））では、ユーザ端末は、上記黙示的指示情報を導出せずに、ＤＣＩ内の所定フィールド値に基づいて、当該ＰＵＣＣＨリソースを決定してもよい。
【００９０】
具体的には、第２の決定例では、上記ケースＢ）〜Ｄ）では、ＵＣＩペイロードサイズに基づいて選択されたＰＵＣＣＨリソースセットにＭ（Ｍ＞４）個のＰＵＣＣＨリソースが含まれる場合でも、上記黙示的指示情報を導出せずに、ＤＣＩ内の所定フィールド値に基づいて、当該ＰＵＣＣＨリソースを決定してもよい。この場合、ユーザ端末は、上記黙示的指示情報が固定値（例えば、「０」又は「１」）であると想定してもよい。
【００９１】
なお、上記ケースＢ）〜Ｄ）では、検出されたＰＤＣＣＨの数に関係なく（例えば、一部のＰＤＳＣＨをスケジューリングするＤＣＩをミスした場合でも）、ユーザ端末は、上記黙示的指示情報を導出せずに、ＤＣＩ内の所定フィールド値に基づいて、当該ＰＵＣＣＨリソースを決定してもよい。
【００９２】
第２の態様では、時間領域及び／又は周波数領域で一以上のＨＡＲＱ−ＡＣＫをフィードバックする場合にも、ユーザ端末は、当該ＨＡＲＱ−ＡＣＫの送信に用いられるＰＵＣＣＨリソースを適切に決定できる。
【００９３】
（第３の態様）
第３の態様では、ＵＣＩペイロードサイズに基づいて選択されたＰＵＣＣＨリソースセットに含まれるＰＵＣＣＨリソースの数（Ｍ）が４よりも大きい場合、ユーザ端末は、一以上のＤＣＩ内の所定フィールド値に基づいて、Ｍ個のＰＵＣＣＨリソースからＵＣＩの送信に用いられるＰＵＣＣＨリソースを決定する。
【００９４】
具体的には、単一のＰＤＣＣＨでＤＣＩが送信される場合（例えば、上記ケースＡ）、ユーザ端末は、当該ＤＣＩ内の所定フィールド（例えば、ＰＵＣＣＨリソース識別子又はＡＲＩ等ともいう）の値に基づいて、ＵＣＩの送信に用いられるＰＵＣＣＨリソースを決定する。この場合、ユーザ端末は、上記黙示的指示情報が固定値（例えば、「０」又は「１」）であると想定してもよい。
【００９５】
一方、複数のＰＤＣＣＨをそれぞれで複数のＤＣＩが送信される場合（例えば、上記ケースＢ〜Ｄ）、ユーザ端末は、第１のＤＣＩ内の所定フィールド値（例えば、ＰＵＣＣＨリソース識別子、図２Ａ参照）と、第２のＤＣＩの所定フィールド値（例えば、ＴＰＣコマンドフィールド値、図８参照）による導出される黙示的指示情報とに基づいて、ＵＣＩの送信に用いられるＰＵＣＣＨリソースを決定する。
【００９６】
ここで、第１のＤＣＩ（第１のＰＤＣＣＨともいう）は、所定セル及び／又は所定スロットで送信されるＤＣＩである。例えば、第１のＤＣＩは、ＰＣｅｌｌ又は最小インデックスのセル（ＣＣ）で送信されるＤＣＩ、及び／又は、直近に送信されるＤＣＩであってもよい。
【００９７】
第２のＤＣＩ（第２のＰＤＣＣＨともいう）は、所定セル及び／又は所定スロットで送信されるＤＣＩである。例えば、第２のＤＣＩは、最小インデックス又は２番目に小さいインデックスのセル（ＣＣ）で送信されるＤＣＩ、及び／又は、直近又は２番目に直近に送信されるＤＣＩであってもよい。
【００９８】
図９は、第３の態様に係る第１及び第２のＤＣＩの一例を示す図である。図９Ａでは、第１のＤＣＩ（単にＤＣＩともいう）の一例が示され、図９Ｂでは、第２のＤＣＩの一例が示される。図９Ａに示すように、第１のＤＣＩ内の第１のフィールド値（例えば、ＰＵＣＣＨリソース識別子）は、ＰＵＣＣＨリソースの明示的指示情報（例えば、図２ＢのＤＣＩ内の所定フィールド値）として用いられてもよい。また、第１のＤＣＩ内の第２のフィールド値（例えば、ＴＰＣコマンドフィールド値）は、ＰＵＣＣＨの送信電力制御に用いられてもよい。
【００９９】
一方、図９Ｂに示すように、第２のＤＣＩ内の第１のフィールド値（例えば、ＴＰＣコマンドフィールド値）は、上記黙示的指示情報の導出に用いられてもよい（図８参照）。また、第２のＤＣＩ内の第２のフィールド値（例えば、ＰＵＣＣＨリソース識別子）は、未使用であってもよいし、又は、第１のＤＣＩの第１のフィールド値と同一の値が設定されてもよい。
【０１００】
図１０は、第３の態様に係る第１及び第２のＤＣＩの他の例を示す図である。図１０では、第２のＤＣＩの第２のフィールド値（例えば、ＰＵＣＣＨリソース識別子）は、明示的指示情報として用いられる第１のＤＣＩの第１のフィールド値と同一の値が設定されるものとする。
【０１０１】
図１０に示すように、ユーザ端末が、第１のＤＣＩの受信（検出、復号等を含む）に失敗する場合、第２のＤＣＩ内の第１のフィールド値（例えば、ＴＰＣコマンドフィールド値）に基づいて導出される黙示的指示情報と、明示的指示情報としての第２のフィールド値（例えば、ＰＵＣＣＨリソース識別子）に基づいて、ＰＵＣＣＨリソースを決定できる。
【０１０２】
図１０では、ユーザ端末が、第１のＤＣＩの受信（検出、復号等を含む）に失敗する場合でも、第１のＤＣＩの受信に成功する場合と同一のＰＵＣＣＨリソースを決定できる。このため、無線基地局が複数のＰＵＣＣＨリソースを想定してＵＣＩをブラインド復号する必要がなく、ＵＣＩの復号に係る無線基地局の処理負荷を軽減できる。
【０１０３】
図１１〜図１４を参照し、一以上のスロット及び／又は一以上のセルで送信されたＰＤＳＣＨに対するＨＡＲＱ−ＡＣＫを無線基地局にフィードバックする場合におけるＰＵＣＣＣＨリソースの決定について詳細に説明する。図１１〜１４は、第３の態様に係るＰＵＣＣＨリソースの第１〜第４の決定例を示す図である。なお、図１１〜１４では、一例として、ＵＣＩペイロードサイズに基づいて選択されたＰＵＣＣＨリソースセットに含まれるＰＵＣＣＨリソースの数（Ｍ）が４よりも大きい場合を想定する。
【０１０４】
図１１では、１スロット及び１セルで送信されたＰＤＳＣＨに対するＨＡＲＱ−ＡＣＫをフィードバックする場合（上記ケースＡ）が示される。図１１Ａでは、タイプ１のＨＡＲＱ−ＡＣＫのコードブック（準静的コードブック）がユーザ端末に設定され、かつ、ＰＤＣＣＨ及びＰＤＳＣＨが送信されるセル数（ＣＣ数）及びスロット数が１である場合が示される。
【０１０５】
図１１Ａの場合、ユーザ端末は、当該ＰＤＳＣＨをスケジューリングするＤＣＩ（第１のＤＣＩ）内の第１のフィールド値（例えば、ＰＵＣＣＨリソース識別子、図９の第１のＤＣＩ参照）に基づいて、Ｍ個のＰＵＣＣＨリソースの中からＵＣＩの送信に用いるＰＵＣＣＨリソースを決定してもよい。当該ＤＣＩ内の第２のフィールド値（例えば、ＴＰＣコマンドフィールド、図９の第１のＤＣＩ参照）は、ＰＵＣＣＨの送信電力制御に用いられるため、当該第２のフィールド値に基づく黙示的指示情報の導出は行われない。この場合、ユーザ端末は、上記黙示的指示情報が固定値（例えば、「０」又は「１」）であると想定してもよい。
【０１０６】
図１１Ｂでは、タイプ２のＨＡＲＱ−ＡＣＫのコードブック（動的コードブック）がユーザ端末に設定され、かつ、ＰＤＳＣＨをスケジューリングするＤＣＩに含まれるカウンタＤＡＩ（Downlink  Assignment  Indicator（Index））及びトータルＤＡＩが１である場合が示される。ここで、カウンタＤＡＩは、スケジューリングされたＰＤＳＣＨのカウントに利用する情報（カウント値）である。トータルＤＡＩは、スケジューリングされたＰＤＳＣＨの総数を示す情報である。
【０１０７】
図１１Ｂの場合、ユーザ端末は、当該カウンタＤＡＩ及び／又はトータルＤＡＩを含むＤＣＩ（第１のＤＣＩ）内の第１のフィールド値（例えば、ＰＵＣＣＨリソース識別子、図９の第１のＤＣＩ参照）に基づいて、Ｍ個のＰＵＣＣＨリソースの中からＵＣＩの送信に用いるＰＵＣＣＨリソースを決定してもよい。当該ＤＣＩ内の第２のフィールド値（例えば、ＴＰＣコマンドフィールド、図９の第１のＤＣＩ参照）は、ＰＵＣＣＨの送信電力制御に用いられるため、当該第２のフィールド値に基づく黙示的指示情報の導出は行われない。この場合、ユーザ端末は、上記黙示的指示情報が固定値（例えば、「０」又は「１」）であると想定してもよい。
【０１０８】
図１２では、１スロット及び複数のセルで送信されたＰＤＳＣＨに対するＨＡＲＱ−ＡＣＫをフィードバックする場合（上記ケースＢ）が示される。図１２Ａでは、タイプ１のＨＡＲＱ−ＡＣＫのコードブック（準静的コードブック）がユーザ端末に設定され、かつ、ＰＤＣＣＨ及び／又はＰＤＳＣＨ（ＰＤＣＣＨ／ＰＤＳＣＨ）が送信されるセル数（ＣＣ数）が１より大きく、ＰＤＣＣＨ／ＰＤＳＣＨが送信されるスロット数が１である場合が示される。
【０１０９】
図１２Ａの場合、ユーザ端末は、所定セル（例えば、最小インデックスのセル（ＣＣ）＃０）で送信されるＤＣＩ（第１のＤＣＩ）内の第２のフィールド値（例えば、ＴＰＣコマンドフィールド値、図９の第１のＤＣＩ参照）に基づいて、ＰＵＣＣＨの送信電力制御を制御する。この場合、ユーザ端末は、セル＃０以外のセル＃１〜＃３の少なくとも一つで送信されるＤＣＩ（第２のＤＣＩ）内の第１のフィールド値（例えば、ＴＰＣコマンドフィールド値、図９の第２のＤＣＩ参照）に基づいて、黙示的指示情報を導出してもよい。
【０１１０】
また、図１２Ａの場合、ユーザ端末は、所定セル（例えば、２番目の最小インデックスのセル＃１）で送信されるＤＣＩ（第１のＤＣＩ）内の第１のフィールド値（例えば、ＰＵＣＣＨリソース識別子、図９の第１のＤＣＩ参照）及び上記黙示的指示情報に基づいて、Ｍ個のＰＵＣＣＨリソースの中からＵＣＩの送信に用いるＰＵＣＣＨリソースを決定してもよい。
【０１１１】
図１２Ｂでは、タイプ２のＨＡＲＱ−ＡＣＫのコードブック（動的コードブック）がユーザ端末に設定され、かつ、ＰＤＣＣＨ及び／又はＰＤＳＣＨ（ＰＤＣＣＨ／ＰＤＳＣＨ）が送信されるセル数（ＣＣ数）が１より大きく、ＰＤＣＣＨ／ＰＤＳＣＨが送信されるスロット数が１である場合が示される。図１２Ｂで送信されるＤＣＩ内のカウンタＤＡＩ及びトータルＤＡＩは１である。図１２Ｂにおいて、ユーザ端末は、図１２Ａで説明したように、ＰＵＣＣＨリソースを決定してもよい。
【０１１２】
図１３では、複数のスロット及び１セルで送信されたＰＤＳＣＨに対するＨＡＲＱ−ＡＣＫをフィードバックする場合（上記ケースＣ）が示される。図１３Ａでは、タイプ１のＨＡＲＱ−ＡＣＫのコードブック（準静的コードブック）がユーザ端末に設定され、かつ、ＰＤＣＣＨ／ＰＤＳＣＨが送信されるスロット数が１より大きい場合が示される。
【０１１３】
図１３Ａの場合、ユーザ端末は、所定スロット（例えば、最小インデックスのスロット＃ｎ１）で送信されるＤＣＩ（第１のＤＣＩ）内の第２のフィールド値（例えば、ＴＰＣコマンドフィールド値、図９の第１のＤＣＩ参照）に基づいて、ＰＵＣＣＨの送信電力制御を制御する。この場合、ユーザ端末は、スロット＃ｎ１以外のスロット＃ｎ２〜＃ｎ４の少なくとも一つで送信されるＤＣＩ（第２のＤＣＩ）内の第１のフィールド値（例えば、ＴＰＣコマンドフィールド値、図９の第２のＤＣＩ参照）に基づいて、黙示的指示情報を導出してもよい。
【０１１４】
また、図１３Ａの場合、ユーザ端末は、所定スロット（例えば、直近のスロット）で送信されるＤＣＩ（第１のＤＣＩ）内の第１のフィールド値（例えば、ＰＵＣＣＨリソース識別子、図９の第１のＤＣＩ参照）及び上記黙示的指示情報に基づいて、Ｍ個のＰＵＣＣＨリソースの中からＵＣＩの送信に用いるＰＵＣＣＨリソースを決定してもよい。
【０１１５】
図１３Ｂでは、タイプ２のＨＡＲＱ−ＡＣＫのコードブック（動的コードブック）がユーザ端末に設定され、かつ、ＤＣＩ内のトータルＤＡＩが１より大きい場合が示される。例えば、図１３Ｂで送信されるＤＣＩ内のトータルＤＡＩは４である。
【０１１６】
図１３Ｂの場合、ユーザ端末は、所定のカウンタＤＡＩ値（例えば、最小のカウンタＤＡＩ値＝１）で送信されるＤＣＩ（第１のＤＣＩ）内の第２のフィールド値（例えば、ＴＰＣコマンドフィールド値、図９の第１のＤＣＩ参照）に基づいて、ＰＵＣＣＨの送信電力制御を制御する。この場合、ユーザ端末は、カウンダＤＡＩ値「２」〜「４」をそれぞれ含む３ＤＣＩ（第２のＤＣＩ）の少なくとも一つ内の第１のフィールド値（例えば、ＴＰＣコマンドフィールド値、図９の第２のＤＣＩ参照）に基づいて、黙示的指示情報を導出してもよい。
【０１１７】
また、図１３Ｂの場合、ユーザ端末は、所定スロット（例えば、直近のスロット）で送信されるＤＣＩ（第１のＤＣＩ）内の第１のフィールド値（例えば、ＰＵＣＣＨリソース識別子、図９の第１のＤＣＩ参照）及び上記黙示的指示情報に基づいて、Ｍ個のＰＵＣＣＨリソースの中からＵＣＩの送信に用いるＰＵＣＣＨリソースを決定してもよい。
【０１１８】
図１４では、複数のスロット及び複数のセルで送信されたＰＤＳＣＨに対するＨＡＲＱ−ＡＣＫをフィードバックする場合（上記ケースＤ）が示される。図１４Ａでは、タイプ１のＨＡＲＱ−ＡＣＫのコードブック（準静的コードブック）がユーザ端末に設定され、かつ、ＰＤＣＣＨ／ＰＤＳＣＨが送信されるスロット数が１より大きく、かつ、セル数も１より大きい場合が示される。
【０１１９】
図１４Ａの場合、ユーザ端末は、所定セル（例えば、最小インデックスのセル（ＣＣ）＃０）及び所定スロット（例えば、最小インデックスのスロット＃ｎ１）で送信されるＤＣＩ（第１のＤＣＩ）内の第２のフィールド値（例えば、ＴＰＣコマンドフィールド値、図９の第１のＤＣＩ参照）に基づいて、ＰＵＣＣＨの送信電力制御を制御する。この場合、ユーザ端末は、セル（ＣＣ）＃１〜＃３及びスロット＃ｎ２〜＃ｎ４の少なくとも一つで送信されるＤＣＩ（第２のＤＣＩ）内の第１のフィールド値（例えば、ＴＰＣコマンドフィールド値、図９の第２のＤＣＩ参照）に基づいて、黙示的指示情報を導出してもよい。
【０１２０】
また、図１４Ａの場合、ユーザ端末は、所定セル（例えば、最小インデックスのセル（ＣＣ）＃０）及び所定スロット（例えば、直近のスロット）で送信されるＤＣＩ（第１のＤＣＩ）内の第１のフィールド値（例えば、ＰＵＣＣＨリソース識別子、図９の第１のＤＣＩ参照）及び上記黙示的指示情報に基づいて、Ｍ個のＰＵＣＣＨリソースの中からＵＣＩの送信に用いるＰＵＣＣＨリソースを決定してもよい。
【０１２１】
図１４Ｂでは、タイプ２のＨＡＲＱ−ＡＣＫのコードブック（動的コードブック）がユーザ端末に設定され、かつ、ＤＣＩ内のトータルＤＡＩが１より大きく、かつ、ＰＤＣＣＨ／ＰＤＳＣＨが送信されるスロット数が１より大きい場合が示される。例えば、図１４Ｂで送信されるＤＣＩ内のトータルＤＡＩは４である。
【０１２２】
図１４Ｂの場合、ユーザ端末は、所定セル（例えば、最小インデックスのセル（ＣＣ）＃０）及び所定のカウンタＤＡＩ値（例えば、最小のカウンタＤＡＩ値＝１）で送信されるＤＣＩ（第１のＤＣＩ）内の第２のフィールド値（例えば、ＴＰＣコマンドフィールド値、図９の第１のＤＣＩ参照）に基づいて、ＰＵＣＣＨの送信電力制御を制御する。この場合、ユーザ端末は、セル（ＣＣ）＃１〜＃３及びカウンダＤＡＩ値「２」〜「４」の少なくとも一つ内の第１のフィールド値（例えば、ＴＰＣコマンドフィールド値、図９の第２のＤＣＩ参照）に基づいて、黙示的指示情報を導出してもよい。
【０１２３】
また、図１４Ｂの場合、ユーザ端末は、所定セル（例えば、最小インデックスのセル（ＣＣ）＃０）及び所定スロット（例えば、直近のスロット）で送信されるＤＣＩ（第１のＤＣＩ）内の第１のフィールド値（例えば、ＰＵＣＣＨリソース識別子、図９の第１のＤＣＩ参照）及び上記黙示的指示情報に基づいて、Ｍ個のＰＵＣＣＨリソースの中からＵＣＩの送信に用いるＰＵＣＣＨリソースを決定してもよい。
【０１２４】
第３の態様では、ユーザ端末は、一以上のＤＣＩ内の所定フィールド値に基づいて、Ｍ個のＰＵＣＣＨリソースからＵＣＩの送信に用いられるＰＵＣＣＨリソースを適切に決定できる。
【０１２５】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、少なくとも２つを組み合わせて適用されてもよい。
【０１２６】
図１５は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT：New  Radio  Access  Technology）などと呼ばれても良い。
【０１２７】
図１５に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間及び／又はセル内で異なるニューメロロジーが適用される構成としてもよい。
【０１２８】
ここで、ニューメロロジーとは、周波数方向及び／又は時間方向における通信パラメータ（例えば、サブキャリアの間隔（サブキャリア間隔）、帯域幅、シンボル長、ＣＰの時間長（ＣＰ長）、サブフレーム長、ＴＴＩの時間長（ＴＴＩ長）、ＴＴＩあたりのシンボル数、無線フレーム構成、フィルタリング処理、ウィンドウイング処理などの少なくとも一つ）である。無線通信システム１では、例えば、１５ｋＨｚ、３０ｋＨｚ、６０ｋＨｚ、１２０ｋＨｚ、２４０ｋＨｚなどのサブキャリア間隔がサポートされてもよい。
【０１２９】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１３０】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１３１】
また、各セル（キャリア）では、単一のニューメロロジーが適用されてもよいし、複数の異なるニューメロロジーが適用されてもよい。
【０１３２】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１３３】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１３４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１３５】
なお、無線基地局１１は、相対的に広いカバレッジを有する無線基地局であり、マクロ基地局、集約ノード、ｅＮＢ（eNodeB）、ｇＮＢ（gNodeB）、送受信ポイント（ＴＲＰ）、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、ｅＮＢ、ｇＮＢ、送受信ポイントなどと呼ばれてもよい。以下、無線基地局１１及び１２を区別しない場合は、無線基地局１０と総称する。
【０１３６】
各ユーザ端末２０は、ＬＴＥ、ＬＴＥ−Ａ、５Ｇ、ＮＲなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１３７】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【０１３８】
また、無線通信システム１では、マルチキャリア波形（例えば、ＯＦＤＭ波形）が用いられてもよいし、シングルキャリア波形（例えば、ＤＦＴ−ｓ−ＯＦＤＭ波形）が用いられてもよい。
【０１３９】
無線通信システム１では、ＤＬチャネルとして、各ユーザ端末２０で共有されるＤＬ共有チャネル（ＰＤＳＣＨ：Physical  Downlink  Shared  Channel、ＤＬデータチャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１４０】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨに対するＨＡＲＱの再送制御情報（ＡＣＫ／ＮＡＣＫ）を伝送できる。
【０１４１】
無線通信システム１では、ＵＬチャネルとして、各ユーザ端末２０で共有されるＵＬ共有チャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＤＬ信号の再送制御情報（Ａ／Ｎ）やチャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１４２】
＜無線基地局＞
図１６は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１４３】
ＤＬにより無線基地局１０からユーザ端末２０に送信されるユーザデータは、上位局装置３０から伝送路インターフェース１０６を介してベースバンド信号処理部１０４に入力される。
【０１４４】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１４５】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１４６】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１４７】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１４８】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１４９】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１５０】
また、送受信部１０３は、ユーザ端末２０に対してＤＬ信号（ＤＬデータ信号、ＤＬ制御信号、ＤＬ参照信号の少なくとも一つを含む）を送信し、当該ユーザ端末２０からのＵＬ信号（ＵＬデータ信号、ＵＬ制御信号、ＵＬ参照信号の少なくとも一つを含む）を受信する。
【０１５１】
また、送受信部１０３は、上り共有チャネル（例えば、ＰＵＳＣＨ）又は上り制御チャネル（例えば、ショートＰＵＣＣＨ及び／又はロングＰＵＣＣＨ）を用いて、ユーザ端末２０からのＵＣＩを受信する。当該ＵＣＩは、ＤＬデータチャネル（例えば、ＰＤＳＣＨ）のＨＡＲＱ−ＡＣＫ、ＣＳＩ、ＳＲ、ビームの識別情報（例えば、ビームインデックス（ＢＩ））、バッファステータスレポート（ＢＳＲ）の少なくとも一つを含んでもよい。
【０１５２】
また、送受信部１０３は、上り制御チャネル（例えば、ショートＰＵＣＣＨ、ロングＰＵＣＣＨ）に関する制御情報（例えば、フォーマット、スロット内のＰＵＣＣＨユニット数、ＰＵＣＣＨユニットのサイズ、ＲＳの多重方法、ＲＳの配置位置、ＲＳの存在有無、ＲＳの密度、ＳＲＳの有無、上り制御チャネル用のリソースの少なくとも一つ）を物理レイヤシグナリング（Ｌ１シグナリング）及び／又は上位レイヤシグナリングにより送信してもよい。
【０１５３】
図１７は、本実施の形態に係る無線基地局の機能構成の一例を示す図である。なお、図１７は、本実施の形態における特徴部分の機能ブロックを主に示しており、無線基地局１０は、無線通信に必要な他の機能ブロックも有しているものとする。図１７に示すように、ベースバンド信号処理部１０４は、制御部３０１と、送信信号生成部３０２と、マッピング部３０３と、受信信号処理部３０４と、測定部３０５とを備えている。
【０１５４】
制御部３０１は、無線基地局１０全体の制御を実施する。制御部３０１は、例えば、送信信号生成部３０２によるＤＬ信号の生成や、マッピング部３０３によるＤＬ信号のマッピング、受信信号処理部３０４によるＵＬ信号の受信処理（例えば、復調など）、測定部３０５による測定を制御する。
【０１５５】
具体的には、制御部３０１は、ユーザ端末２０のスケジューリングを行う。具体的には、制御部３０１は、ユーザ端末２０からのＵＣＩ（例えば、ＣＳＩ及び／又はＢＩ）に基づいて、ＤＬデータ及び／又は上り共有チャネルのスケジューリング及び／又は再送制御を行ってもよい。
【０１５６】
また、制御部３０１は、上り制御チャネル（例えば、ロングＰＵＣＣＨ及び／又はショートＰＵＣＣＨ）の構成（フォーマット）を制御し、当該上り制御チャネルに関する制御情報を送信するよう制御してもよい。
【０１５７】
また、制御部３０１は、ＰＵＣＣＨリソースの設定を制御してもよい。具体的には、制御部３０１は、ＵＣＩのペイロードサイズに基づいて、Ｍ個のＰＵＣＣＨリソースをそれぞれ含むＫ個のＰＵＣＣＨリソースセットをユーザ端末に設定（configure）するよう制御してもよい。
【０１５８】
また、制御部３０１は、ユーザ端末においてＤＣＩ内の所定フィールド値及び／又は黙示的指示情報に基づいて決定されたＰＵＣＣＨリソースを用いたＵＣＩの受信処理を制御してもよい。制御部３０１は、当該ＰＵＣＣＨリソースのブラインドでの検出を制御してもよい。
【０１５９】
制御部３０１は、上り制御チャネルのフォーマットに基づいて、ユーザ端末２０からのＵＣＩの受信処理を行うように、受信信号処理部３０４を制御してもよい。
【０１６０】
制御部３０１は、本発明に係る技術分野での共通認識に基づいて説明されるコントローラ、制御回路又は制御装置から構成することができる。
【０１６１】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【０１６２】
送信信号生成部３０２は、本発明に係る技術分野での共通認識に基づいて説明される信号生成器、信号生成回路又は信号生成装置とすることができる。
【０１６３】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１６４】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号や、受信処理後の信号を、測定部３０５に出力してもよい。また、受信信号処理部３０４は、制御部３０１から指示される上り制御チャネル構成に基づいて、ＵＣＩの受信処理を行う。
【０１６５】
測定部３０５は、受信した信号に関する測定を実施する。測定部３０５は、本発明に係る技術分野での共通認識に基づいて説明される測定器、測定回路又は測定装置から構成することができる。
【０１６６】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１６７】
＜ユーザ端末＞
図１８は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１６８】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１６９】
ベースバンド信号処理部２０４は、入力されたベースバンド信号に対して、ＦＦＴ処理や、誤り訂正復号、再送制御の受信処理などを行う。ＤＬデータは、アプリケーション部２０５に転送される。アプリケーション部２０５は、物理レイヤやＭＡＣレイヤより上位のレイヤに関する処理などを行う。また、ブロードキャスト情報もアプリケーション部２０５に転送される。
【０１７０】
一方、ＵＬデータについては、アプリケーション部２０５からベースバンド信号処理部２０４に入力される。ベースバンド信号処理部２０４では、再送制御の送信処理（例えば、ＨＡＲＱの送信処理）や、チャネル符号化、レートマッチング、パンクチャ、離散フーリエ変換（ＤＦＴ：Discrete  Fourier  Transform）処理、ＩＦＦＴ処理などが行われて各送受信部２０３に転送される。ＵＣＩについても、チャネル符号化、レートマッチング、パンクチャ、ＤＦＴ処理、ＩＦＦＴ処理の少なくとも一つが行われて各送受信部２０３に転送される。
【０１７１】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１７２】
また、送受信部２０３は、ユーザ端末２０に設定されたニューメロロジーのＤＬ信号（ＤＬデータ信号、ＤＬ制御信号（ＤＣＩ）、ＤＬ参照信号を含む）を受信し、当該ニューメロロジーのＵＬ信号（ＵＬデータ信号、ＵＬ制御信号、ＵＬ参照信号を含む）を送信する。
【０１７３】
また、送受信部２０３は、上り共有チャネル（例えば、ＰＵＳＣＨ）又は上り制御チャネル（例えば、ショートＰＵＣＣＨ及び／又はロングＰＵＣＣＨ）を用いて、無線基地局１０に対して、ＵＣＩを送信する。
【０１７４】
また、送受信部２０３は、Ｍ個のＰＵＣＣＨリソースをそれぞれ含むＫ個のＰＵＣＣＨリソースセットを示す情報を受信してもよい。また、送受信部２０３は、上位レイヤ制御情報（上位レイヤパラメータ）を受信してもよい。
【０１７５】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１７６】
図１９は、本実施の形態に係るユーザ端末の機能構成の一例を示す図である。なお、図１９においては、本実施の形態における特徴部分の機能ブロックを主に示しており、ユーザ端末２０は、無線通信に必要な他の機能ブロックも有しているものとする。図１９に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１７７】
制御部４０１は、ユーザ端末２０全体の制御を実施する。制御部４０１は、例えば、送信信号生成部４０２によるＵＬ信号の生成や、マッピング部４０３によるＵＬ信号のマッピング、受信信号処理部４０４によるＤＬ信号の受信処理、測定部４０５による測定を制御する。
【０１７８】
また、制御部４０１は、無線基地局１０からの明示的指示又はユーザ端末２０における黙示的決定に基づいて、ユーザ端末２０からのＵＣＩの送信に用いる上り制御チャネルを制御する。また、制御部４０１は、当該ＵＣＩの送信を制御する。
【０１７９】
また、制御部４０１は、上り制御チャネル（例えば、ロングＰＵＣＣＨ及び／又はショートＰＵＣＣＨ）の構成（フォーマット）を制御してもよい。制御部４０１は、無線基地局１０からの制御情報に基づいて、当該上り制御チャネルのフォーマットを制御してもよい。また、制御部４０１は、フォールバックに関する情報に基づいて、ＵＣＩの送信に用いるＰＵＣＣＨフォーマット（上りリンク制御チャネルのフォーマット）を制御してもよい。
【０１８０】
また、制御部４０１は、上り制御チャネル用の一以上のリソース（ＰＵＣＣＨリソース）をそれぞれ含む一以上のリソースセット（ＰＵＣＣＨリソースセット）が設定される場合、ＵＣＩのビット数に基づいて選択されたリソースセットから、下り制御情報（ＤＣＩ）内の所定フィールド値と黙示的指示情報に基づいて、前記ＵＣＩの送信に用いられるリソースを決定してもよい。
【０１８１】
また、制御部４０１は、選択されたリソースセットが４より多いリソースを含む場合、ＤＣＩ内の２ビットの所定フィールド値及び黙示的指示情報に基づいて、前記選択されたリソースセットから前記リソースを決定してもよい。
【０１８２】
また、制御部４０１は、ＵＣＩの送信に用いるリソースを決定するために、上記黙示的指示情報を導出するか否かを制御してもよい（第２、３の態様）。或いは、制御部４０１は、必ず、上記黙示的指示情報を導出してもよい（第２の態様、第１の決定例）。
【０１８３】
具体的には、制御部４０１は、１スロット及び１セルに対応する下り共有チャネルに対する送達確認情報を含む前記ＵＣＩが送信される場合（例えば、上記ケースＡ））、前記下り共有チャネルをスケジューリングするＤＣＩ内の所定フィールド値及び前記黙示的指示情報に基づいて、前記選択されたリソースセットから前記リソースを決定してもよい（第２の態様、第２の決定例）。一方、制御部４０１は、上記以外の場合（例えば、上記ケースＢ）〜Ｄ）のいずれか）、黙示的指示情報を導出せずに、ＤＣＩ内の所定フィールド値に基づいて、上記リソースを決定してもよい。
【０１８４】
また、制御部４０１は、複数のスロット及び／又は複数のセルに対応する複数の下り共有チャネルに対する送達確認情報を含む前記ＵＣＩを送信する場合（例えば、上記ケースＢ）〜Ｄ）のいずれか）、所定スロット及び所定セルで送信されるＤＣＩ内の所定フィールド値及び前記黙示的指示情報に基づいて、前記選択されたリソースセットから前記リソースを決定してもよい（第３の態様）。一方、制御部４０１は、上記以外の場合（例えば、上記ケースＡ））、黙示的指示情報を導出せずに、ＤＣＩ内の所定フィールド値に基づいて、上記リソースを決定してもよい。
【０１８５】
また、制御部４０１は、前記黙示的指示情報を、前記下り制御情報の送信に用いられる下り制御チャネルがマッピングされる制御リソース単位の最小インデックスと、前記下り制御チャネルに関連付けられる制御リソースセットのインデックスと、前記下り制御チャネルに関連付けられるサーチスペースのインデックスと、前記下り制御チャネルに関連付けられる送信構成識別子の状態と、下り共有チャネルに対する送達確認情報のビット数、セカンダリセルにおけるスケジューリングに用いられる下り制御情報内の所定フィールド値、復調用参照信号の構成情報、前記ＵＣＩのビット数、前記送達確認情報用のコードブックのタイプとの少なくとも一つに基づいて導出してもよい（第１の態様）。
【０１８６】
制御部４０１は、本発明に係る技術分野での共通認識に基づいて説明されるコントローラ、制御回路又は制御装置から構成することができる。
【０１８７】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１８８】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０１８９】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０１９０】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１９１】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１９２】
測定部４０５は、本発明に係る技術分野での共通認識に基づいて説明される信号処理器、信号処理回路又は信号処理装置、並びに、測定器、測定回路又は測定装置から構成することができる。
【０１９３】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１９４】
例えば、本発明の一実施形態における無線基地局、ユーザ端末などは、本発明の無線通信方法の処理を行うコンピュータとして機能してもよい。図２０は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１９５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１９６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１９７】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１９８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１９９】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２００】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２０１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２０３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２０４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２０５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２０６】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２０７】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２０８】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２０９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２１０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２１１】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２１２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２１３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２１４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２１５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２１６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２１７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１８】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１９】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２２０】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２１】
また、情報、信号などは、上位レイヤから下位レイヤ、及び／又は下位レイヤから上位レイヤへ出力され得る。情報、信号などは、複数のネットワークノードを介して入出力されてもよい。
【０２２２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２２３】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２２４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２２５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２２６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２２９】
本明細書において使用する「システム」及び「ネットワーク」という用語は、互換的に使用され得る。
【０２３０】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、送受信ポイント、フェムトセル、スモールセルなどの用語で呼ばれる場合もある。
【０２３１】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２３２】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２３３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２３４】
基地局及び／又は移動局は、送信装置、受信装置などと呼ばれてもよい。
【０２３５】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２３６】
同様に、本明細書におけるユーザ端末は、無線基地局で読み替えてもよい。この場合、上述のユーザ端末２０が有する機能を無線基地局１０が有する構成としてもよい。
【０２３７】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３８】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２３９】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２４０】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２４１】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２４２】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２４３】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２４４】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２４５】
本明細書において、「ＡとＢが異なる」という用語は、「ＡとＢが互いに異なる」ことを意味してもよい。「離れる」、「結合される」などの用語も同様に解釈されてもよい。
【０２４６】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２４７】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019142340.tif 000004
【図２】
2019142340.tif 000005
【図３】
2019142340.tif 000006
【図４】
2019142340.tif 000007
【図５】
2019142340.tif 000008
【図６】
2019142340.tif 000009
【図７】
2019142340.tif 000010
【図８】
2019142340.tif 000011
【図９】
2019142340.tif 000012
【図１０】
2019142340.tif 000013
【図１１】
2019142340.tif 000014
【図１２】
2019142340.tif 000015
【図１３】
2019142340.tif 000016
【図１４】
2019142340.tif 000017
【図１５】
2019142340.tif 000018
【図１６】
2019142340.tif 000019
【図１７】
2019142340.tif 000020
【図１８】
2019142340.tif 000021
【図１９】
2019142340.tif 000022
【図２０】
2019142340.tif 000023
【国際調査報告】
2019142340.tif 000024
2019142340.tif 000025
2019142340.tif 000026